(57)【特許請求の範囲】
【請求項１】
燃焼ガスの潜熱を回収可能な熱源機であって、
燃焼ガスを供給するためのバーナと、
前記バーナによって供給された燃焼ガスの潜熱を回収するための二次熱交換器と、
前記二次熱交換器で燃焼ガスの潜熱を回収することによって発生したドレンを貯留するための貯留容器と、
前記貯留容器の外部に配置され、かつ前記ドレンを検知可能なドレン検知部と、
前記貯留容器の外部に配置された制御部と、
前記貯留容器の内部に配置され、かつ前記制御部に電気的に接続された第１および第２の水位検知電極と、
前記貯留容器の外部に配置され、かつ前記制御部に接続された第１および第２の配線とを備え、
前記ドレン検知部は、前記制御部に電気的に接続された第１および第２のドレン検知電極を含み、
前記第１の配線は、前記制御部から分岐して前記第１の水位検知電極および前記第１のドレン検知電極の各々に接続されており、
前記第２の配線は、前記制御部から分岐して前記第２の水位検知電極および前記第２のドレン検知電極の各々に接続されている、熱源機。
【請求項２】
前記貯留容器は側壁部を有し、
前記ドレンを受けるための上面を有し、かつ前記貯留容器の前記側壁部の下方に配置された受皿部材をさらに備え、
前記ドレン検知部は、前記受皿部材の前記上面に配置されている、請求項１に記載の熱源機。
【請求項３】
前端と、後端と、前記前端から前記後端に向かって延びる凹部とを有するハウジングをさらに備え、
前記第１および第２のドレン検知電極の各々はピン形状を有し、
前記第１および第２のドレン検知電極の両方は前記ハウジングの前記後端に固定され、かつ前記凹部の内部を前記後端から前記前端に向かって延在している、請求項１または２に記載の熱源機。
【請求項４】
前記貯留容器は、中和器およびドレンタンクの少なくともいずれかを含み、
前記第１および第２の水位検知電極は、前記中和器および前記ドレンタンクの少なくともいずれかの内部に配置されている、請求項１〜３のいずれか１項に記載の熱源機。
【請求項５】
前記受皿部材は、一端部と、前記一端部に対向しかつ前記一端部よりも低い高さ位置に配置された他端部と、前記上面から立ち上がりかつ互いに並走するように前記一端部から前記他端部まで延びる第１および第２の立ち上がり部とを含み、
前記他端部において前記第１の立ち上がり部から前記第２の立ち上がり部に渡って前記上面に配置された集合部材をさらに備え、
前記集合部材には、前記ドレン検知部を配置するための貫通孔と、前記貫通孔の前記一端部側に開口する開口部とが形成されている、請求項２に記載の熱源機。
【請求項６】
前記バーナを収容し、かつ前記バーナと前記貯留容器との間に配置された側面を有する第１の収容部をさらに備え、
前記受皿部材は、前記第１の収容部の前記側面に取り付けられている、請求項２に記載の熱源機。
【請求項７】
前記バーナによって供給された前記燃焼ガスの顕熱を回収するための一次熱交換器と、
前記一次熱交換器を収容し、かつ前記バーナよりも下方の高さ位置に配置された第２の収容部とをさらに備え、
前記受皿部材は、前記第２の収容部よりも上方の高さ位置に配置されている、請求項２に記載の熱源機。
【発明の詳細な説明】
【技術分野】
【０００１】
本発明は、熱源機に関し、特に、燃焼ガスの潜熱を回収可能な熱源機に関するものである。
【背景技術】
【０００２】
熱源機の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露する。このため、熱交換器に多量のドレン（結露水）が発生する。燃焼排気ガス中には窒素酸化物などが含まれる。この窒素酸化物がドレンに溶け込んでドレンは酸性となる。この酸性のドレンは、中和器に収容された中和剤により中和されてから熱源機外に排出される。
【０００３】
たとえば、特開２００６−１７５３０１号公報（特許文献１）には、酸性のドレンを中和器に収容された中和剤で中和する給湯装置が記載されている。この給湯装置では、二次熱交換器の下方に配置された受け部材の排出口と中和器の導入口とが配管により接続されている。このため、二次熱交換器で発生した酸性のドレンは、受け部材の排出口から配管を通って中和器の導入口に流れ、中和器内で中和剤により中和される。
【先行技術文献】
【特許文献】
【０００４】
【特許文献１】特開２００６−１７５３０１号公報
【発明の概要】
【発明が解決しようとする課題】
【０００５】
上記の給湯装置では、中和器の導入口と配管との接続が不十分である場合には、配管から中和器の外部にドレンが漏出することがある。このドレンが中和器の側壁部を伝って流れ落ちて中和器の下方に配置された排気集合筒などの周辺装置に付着することがある。このドレンは中和器内で中和剤により中和されていないため酸性である。このため、このドレンが付着した周辺装置には腐食が発生する。したがって、貯留容器の外部に漏出したドレンを検知することが求められる。
【０００６】
本発明は、上記課題に鑑みてなされたものであり、その目的は、貯留容器の外部に漏出したドレンを検知することができる熱源機を提供することである。
【課題を解決するための手段】
【０００７】
本発明の熱源機は、燃焼ガスの潜熱を回収可能なものである。熱源機は、バーナと、二次熱交換器と、貯留容器と、ドレン検知部と、制御部と、第１および第２の水位検知電極と、第１および第２の配線とを備えている。バーナは、燃焼ガスを供給するためのものである。二次熱交換器は、バーナによって供給された燃焼ガスの潜熱を回収するためのものである。貯留容器は、二次熱交換器で燃焼ガスの潜熱を回収することによって発生したドレンを貯留するためのものである。ドレン検知部は、貯留容器の外部に配置され、かつドレンを検知可能なものである。制御部は、貯留容器の外部に配置されている。第１および第２の水位検知電極は、貯留容器の内部に配置され、かつ制御部に電気的に接続されている。第１および第２の配線は、貯留容器の外部に配置され、かつ制御部に接続されている。ドレン検知部は、制御部に電気的に接続された第１および第２のドレン検知電極を含んでいる。第１の配線は、制御部から分岐して第１の水位検知電極および第１のドレン検知電極の各々に接続されている。第２の配線は、制御部から分岐して第２の水位検知電極および第２のドレン検知電極の各々に接続されている。
【０００８】
本発明の熱源機によれば、ドレンを検知可能なドレン検知部が貯留容器の外部に配置されている。このため、貯留容器の外部に漏出したドレンを検知することができる。また、第１の配線は、制御部から分岐して第１の水位検知電極および第１のドレン検知電極の各々に接続されている。第２の配線は、制御部から分岐して第２の水位検知電極および第２のドレン検知電極の各々に接続されている。したがって、第１および第２のドレン検知電極は、第１および第２の水位検知電極と制御部を共用できる。
【０００９】
上記の熱源機においては、貯留容器は側壁部を有している。熱源機は受皿部材をさらに備えている。受皿部材は、ドレンを受けるための上面を有し、かつ貯留容器の側壁部の下方に配置されている。ドレン検知部は、受皿部材の上面に配置されている。このため、配管と貯留容器との接続が不十分である場合などに配管から貯留容器の外部に酸性のドレンが漏出すると、このドレンは貯留容器の側壁部を伝って流れ落ちて側壁部の下方に配置された受皿部材の上面に受けられる。したがって、受皿部材は、配管から貯留容器の外部に漏出したドレンが熱源機内の周辺装置に付着することを防止できる。また、ドレン検知部は受皿部材の上面に受けられたドレンを検知することができる。したがって、ドレン検知部は、配管から貯留容器の外部に漏出したドレンが熱源機内の周辺装置に付着する前に、このドレンを検知することができる。
【００１０】
上記の熱源機は、ハウジングをさらに備えている。ハウジングは、前端と、後端と、前端から後端に向かって延びる凹部とを有する。第１および第２のドレン検知電極の各々はピン形状を有する。第１および第２のドレン検知電極の両方はハウジングの後端に固定され、かつ凹部の内部を後端から前端に向かって延在している。したがって、第１および第２のドレン検知電極にいわゆる２ピンコネクタを用いることができる。
【００１１】
上記の熱源機においては、貯留容器は、中和器およびドレンタンクの少なくともいずれかを含んでいる。第１および第２の水位検知電極は、中和器およびドレンタンクの少なくともいずれかの内部に配置されている。したがって、第１および第２のドレン検知電極は、中和器およびドレンタンクの少なくともいずれかの内部に配置された第１および第２の水位検知電極と制御部を共有できる。
【００１２】
上記の熱源機においては、受皿部材は、一端部と、他端部と、第１および第２の立ち上がり部とを含んでいる。他端部は、一端部に対向しかつ一端部よりも低い高さ位置に配置されている。第１および第２の立ち上がり部は、上面から立ち上がりかつ互いに並走するように一端部から他端部まで延びる。熱源機は、集合部材をさらに備えている。集合部材は、他端部において第１の立ち上がり部から第２の立ち上がり部に渡って上面に配置されている。集合部材には、ドレン検知部を配置するための貫通孔と、貫通孔の一端部側に開口する開口部とが形成されている。したがって、集合部材は、受皿部材の上面を一端部側から他端部側に向かって流れるドレンをせき止めて集めることができる。集合部材で集められたドレンは開口部から貫通孔に流入する。ドレン検知部は貫通孔に配置されているため、ドレン検知部は集合部材で集められたドレンを検知することができる。これにより、ドレン検知部は、受皿部材の上面に受けられたドレンを確実に検知できる。
【００１３】
上記の熱源機は、第１の収容部をさらに備えている。第１の収容部は、バーナを収容し、かつバーナと貯留容器との間に配置された側面を有する。受皿部材は、第１の収容部の側面に取り付けられている。このため、バーナで発生した熱が第１の収容部の側面から受皿部材に伝わることにより受皿部材に付着した結露水を蒸発させやすくすることができる。したがって、ドレン検知部が結露水を検知することが抑制される。これにより、ドレン検知部が結露水をドレンとして誤って検知することを抑制することができる。
【００１４】
上記の熱源機は、一次熱交換器と、第２の収容部とをさらに備えている。一次熱交換器は、バーナによって供給された燃焼ガスの顕熱を回収するためのものである。第２の収容部は、一次熱交換器を収容し、かつバーナよりも下方の高さ位置に配置されている。受皿部材は、第２の収容部よりも上方の高さ位置に配置されている。一次熱交換器を収容する第２の収容部には結露水が付着しやすい。受皿部材は第２の収容部よりも上方の高さ位置に配置されているため、第２の収容部に付着した結露水が受皿部材に流れ落ちることを防止することができる。これにより、ドレン検知部が結露水をドレンとして誤って検知することを抑制することができる。
【発明の効果】
【００１５】
以上説明したように本発明によれば、貯留容器の外部に漏出したドレンを検知することができる熱源機を提供することができる。
【図面の簡単な説明】
【００１６】
【図１】本発明の一実施の形態における熱源機の構成を概略的に示す概略図である。
【図２】本発明の一実施の形態における熱源機の内部構造を概略的に示す斜視図である。
【図３】図２の受皿部材と貯留容器との位置関係を概略的に示す側面図である。
【図４】図２の受皿部材と貯留容器との位置関係を概略的に示す上面図である。
【図５】本発明の一実施の形態における制御部と第１および第２の水位検知電極ならびに第１および第２のドレン検知電極との接続関係を概略的に示す斜視図である。
【図６】図５の受皿部材と集合部材と第１および第２のドレン検知電極とを分解して示す拡大分解斜視図である。
【図７】図６の第１および第２のドレン検知電極とハウジングとを分解して示す拡大分解斜視図である。
【図８】図６の集合部材を示す拡大上面図である。
【図９】本発明の一実施の形態における変形例１の熱源機の貯留容器を示す概略図である。
【図１０】本発明の一実施の形態における変形例２の熱源機のカバー部材が貯留容器に取り付けられた状態を概略的に示す斜視図である。
【図１１】図１０のカバー部材が中和器に取り付けられた状態を示す正面図である。
【発明を実施するための形態】
【００１７】
以下、本発明の実施の形態について図に基づいて説明する。
まず、本発明の一実施の形態における熱源機の構成について説明する。
【００１８】
図１および図２を参照して、本実施の形態の熱源機１は、燃焼ガスの潜熱を回収可能な潜熱回収式の熱源機である。熱源機１は、筐体２と、バーナ３と、バーナケース３ａと、送風機４と、一次熱交換器５と、一次熱交換器ケース５ａと、二次熱交換器６と、二次熱交換器ケース６ａと、排気集合筒７と、消音器８と、貯留容器９と、配管１０と、給水配管１１、入水口１１ａと、給湯配管１２と、出湯口１２ａと、配管２０と、受皿部材２１と、ドレン検知部２２と、水位検知部２３と、制御部２４と、配線２５と、集合部材３０とを主に有している。
【００１９】
なお、図１では、説明の便宜のため、集合部材３０は示されていない。また、図２では、見やすくするため、二次熱交換器ケース６ａおよび消音器８は破線で示されており、筐体２、給水配管１１、入水口１１ａ、給湯配管１２および出湯口１２ａは示されていない。
【００２０】
筐体２は、バーナ３、バーナケース３ａ、送風機４、一次熱交換器５、一次熱交換器ケース５ａ、二次熱交換器６、二次熱交換器ケース６ａ、排気集合筒７、消音器８、貯留容器９、配管１０、給水配管１１、給湯配管１２、配管２０、受皿部材２１、ドレン検知部２２、水位検知部２３、制御部２４、配線２５を内部に収容可能に構成されている。
【００２１】
筐体２の上面には排気口ＥＰが設けられている。排気口ＥＰは、一次熱交換器５によって顕熱が回収され、二次熱交換器６によって潜熱が回収された燃焼ガスを筐体２の外部に排気可能に構成されている。また、筐体２の側面には給水のための入水口１１ａと給湯のための出湯口１２ａとが設けられている。
【００２２】
バーナ３は燃料ガスを供給するためのものである。この燃焼ガスは、一次熱交換器５および二次熱交換器６との間で熱交換を行うためのものである。つまり、バーナ３は、一次熱交換器５および二次熱交換器６との間で熱交換を行なうための燃焼ガスを発生させて一次熱交換器５および二次熱交換器６に供給するためのものである。本実施の形態では、バーナ３は、図示しない燃料供給源から燃料配管を経由して供給されてきた灯油などの燃料を下向きに噴霧して燃焼させる逆燃式の装置である。具体的にはバーナ３はたとえばガンタイプバーナである。
【００２３】
バーナ３は、バーナケース（第１の収容部）３ａに収容されている。したがって、バーナ３はバーナケース３ａの内部で燃料を燃焼させて燃焼ガスを発生させる。バーナケース３ａは、側面ＳＳを有している。側面ＳＳは、バーナ３と貯留容器９との間に配置されている。バーナケース３ａの上方に送風機４が配置されており、バーナケース３ａの下方に一次熱交換器５が配置されている。
【００２４】
送風機４は、バーナ３に燃焼用の空気を供給するためのものである。送風機４は、バーナ３の上方から燃焼用空気を下向きに供給可能に構成されている。具体的には送風機４はたとえばファンである。
【００２５】
一次熱交換器５は、バーナ３によって供給された燃焼ガスの顕熱を回収するためのものである。つまり、一次熱交換器５は顕熱回収型の熱交換器である。一次熱交換器５は、一次熱交換器ケース（第２の収容部）５ａに収容されている。一次熱交換器５は、バーナ３よりも下方の高さ位置に配置されている。一次熱交換器ケース５ａはバーナケース３ａと排気集合筒７とに連通している。
【００２６】
二次熱交換器６は、バーナ３によって供給された燃焼ガスの潜熱を回収するためのものである。つまり、二次熱交換器６は潜熱回収型の熱交換器である。二次熱交換器６は、二次熱交換器ケース６ａに収容されている。二次熱交換器ケース６ａは排気口ＥＰに連通している。また、二次熱交換器ケース６ａは排気集合筒７に連通している。二次熱交換器６とは、潜熱回収用熱交換器の意であり、潜熱回収式熱交換器しかなくても良いし、或いは、顕熱回収用と潜熱回収用の熱交換器とが一体化されていても良い。
【００２７】
排気集合筒７および消音器８は一連に繋がった燃焼ガス流路を構成している。排気集合筒７は一次熱交換器５の下流側に位置している。消音器８は排気集合筒７の下流側に位置している。図中矢印で示すように、バーナ３で発生した燃焼ガスは、一次熱交換器５の周囲を通過して一次熱交換器５の水と熱交換した後、排気集合筒７を通って消音器８に送られる。消音器８に送られた燃焼ガスは、二次熱交換器６の周囲を通過して二次熱交換器６の水と熱交換した後、排気口ＥＰから筐体２外に排出される。
【００２８】
一次熱交換器５の一方端と二次熱交換器６の一方端とは互いに配管１０によって接続されている。二次熱交換器６の他方端には給水配管１１が接続されており、一次熱交換器５の他方端には給湯配管１２が接続されている。一次熱交換器５は二次熱交換器６よりもバーナ３の近くに配置されている。一次熱交換器５は二次熱交換器６よりも燃焼ガス流れの上流側に位置している。
【００２９】
入水口１１ａは給水配管１１に接続されており給水配管１１を経由して二次熱交換器６および一次熱交換器５に水を給水可能に構成されている。出湯口１２ａは給湯配管１２に接続されており一次熱交換器５および二次熱交換器６で温められた温水を給湯可能に構成されている。これにより、入水口１１ａから入水された水は、二次熱交換器６および一次熱交換器５を通過する際に燃焼ガスによって加熱されて出湯口１２ａから出湯される。
【００３０】
この際、高温の燃焼ガスとの熱交換によって一次熱交換器５内の湯水が加熱される。一次熱交換器５で熱交換した後の燃焼ガスが二次熱交換器６へ通されることで二次熱交換器６内の水が予熱される。この過程で燃焼ガスの温度が６０℃程度まで下がることで、燃焼ガス中に含まれる水分が凝縮して潜熱が回収される。二次熱交換器６において燃焼ガスの水蒸気を凝縮させる構造上、凝縮した水（ドレン）が発生するためドレンの排水が必要である。
【００３１】
二次熱交換器６で燃焼ガスの潜熱を回収することによって発生したドレンは、二次熱交換器ケース６ａの下面で受けられる。二次熱交換器ケース６ａの下面と貯留容器９とに配管２０が接続されている。配管２０は二次熱交換器６から貯留容器９にドレンを供給可能に構成されている。二次熱交換器ケース６ａの下面の下方に貯留容器９が配置されている。このため、二次熱交換器ケース６ａの下面で受けられたドレンは配管２０内を通って貯留容器９に流入する。
【００３２】
具体的には、配管２０の一端が貯留容器９に接続されており、配管２０の他端が二次熱交換器ケース６ａの下面に接続されている。配管２０の一端の外周面は第１のバンドＢ１により締め付けられている。これにより、配管２０の一端が貯留容器９に固定されている。配管２０の他端の外周面は第２のバンドＢ２により締め付けられている。これにより、配管２０の他端が二次熱交換器ケース６ａの下面に固定されている。
【００３３】
貯留容器９は、二次熱交換器６で燃焼ガスの潜熱を回収することによって発生したドレンを貯留するためのものである。貯留容器９は、天井部ＴＰと、底部ＢＰと、側壁部ＳＷとを有している。天井部ＴＰは、二次熱交換器ケース６ａの下面と対向するように配置されている。底部ＢＰは、受皿部材２１の上面ＵＳと対向するように配置されている。
【００３４】
側壁部ＳＷは、貯留容器９の側面を構成している。側壁部ＳＷは、天井部ＴＰおよび底部ＢＰの各々の外縁に沿うように構成されている。また、側壁部ＳＷは、天井部ＴＰと底部ＢＰとを繋ぐように構成されている。つまり、側壁部ＳＷは、天井部ＴＰと底部ＢＰとが対向する方向である上下方向に延在している。なお、側壁部ＳＷは、垂直方向に対して傾いていてもよい。
【００３５】
本実施の形態では、貯留容器９は中和器９ａである。燃焼ガス中には窒素酸化物などが含まれるため、この窒化酸化物などがドレンに溶け込んでドレンは酸性となる。中和器９ａは二次熱交換器６で燃焼ガスの潜熱を回収することによって発生した酸性のドレンを中和するためのものである。中和器９ａ内には酸性のドレンを中和するための中和剤が充填されている。中和器９ａで中和されたドレンは、図示しない排水路を通って筐体２外に排出される。
【００３６】
貯留容器９の下方に間隔をあけて受皿部材２１が配置されている。受皿部材２１は、配管２０から貯留容器９の外部に漏出した酸性のドレンを受けるためのものである。受皿部材２１は、貯留容器９の側壁部ＳＷの下方に配置されている。具体的には、受皿部材２１は、貯留容器９の側壁部ＳＷの真下に配置されていることが望ましい。受皿部材２１は、ドレンを受けるための上面ＵＳを有している。受皿部材２１は、バーナケース３ａの側面ＳＳに取り付けられている。受皿部材２１は、一次熱交換器ケース５ａよりも上方の高さ位置に配置されている。
【００３７】
受皿部材２１は、排気集合筒７などの周辺装置よりも酸性のドレンで腐食しにくい材料で構成されていてもよい。また、受皿部材２１の上面ＵＳに酸性のドレンによる腐食を防止する塗料が塗られていてもよい。
【００３８】
ドレン検知部２２は、受皿部材２１の上面ＵＳに受けられたドレンを検知するためのものである。ドレン検知部２２は、貯留容器９の外部に配置されている。ドレン検知部２２は、受皿部材２１の上面ＵＳに配置されている。ドレン検知部２２は、受皿部材２１の上面ＵＳに受けられたドレンを検知可能に構成されている。
【００３９】
水位検知部２３は、貯留容器９内のドレンの水位を検知するためのものである。水位検知部２３は、第１および第２の水位検知電極２３ａ，２３ｂを有している。第１の水位検知電極２３ａおよび第２の水位検知電極２３ｂは、貯留容器９の内部に配置されている。第１の水位検知電極２３ａおよび第２の水位検知電極２３ｂは、互いに間隔をあけて配置されている。第１の水位検知電極２３ａおよび第２の水位検知電極２３ｂは、貯留容器９内に貯留されたドレンによって互いに導通するように構成されている。貯留容器９の内部に配置された第１および第２の水位検知電極２３ａ，２３ｂは、貯留容器９内のドレンの水位を検知するものであり、例えばオーバーフロー防止のために用いられる。
【００４０】
本実施の形態では、水位検知部２３は、２本の水位検知電極が互いに導通することによりドレンの水位を検知するように構成されている。なお、水位検知部２３は、アース用電極と複数の水位検知電極とが互いに導通することによりドレンの複数の水位を検知するように構成されていてもよい。この場合、アース用電極が第１の水位検知電極２３ａであり、複数の水位検知電極のいずれかが第２の水位検知電極２３ｂであってもよい。
【００４１】
制御部２４は、貯留容器９の外部に配置されている。制御部２４は、ドレン検知部２２および水位検知部２３の各々に電気的に接続されている。制御部２４は、受皿部材２１の上面ＵＳに受けられたドレンを検知可能に構成されており、かつ貯留容器９内のドレンを検知可能に構成されている。
【００４２】
配線２５は、制御部２４とドレン検知部２２および水位検知部２３とを電気的に接続している。配線２５は、第１および第２の配線２５ａ，２５ｂを有している。第１の配線２５ａおよび第２の配線２５ｂは、貯留容器９の外部に配置されている。第１の配線２５ａおよび第２の配線２５ｂはそれぞれ制御部２４に接続されている。
【００４３】
集合部材３０は、受皿部材２１の上面ＵＳに受けられたドレンを集めるためのものである。集合部材３０は、受皿部材２１の上面ＵＳに配置されている。集合部材３０にドレン検知部２２が保持されている。
【００４４】
続いて、図２〜図８を参照して、本実施の形態の熱源機１の構成についてさらに詳しく説明する。なお、図３では、説明の便宜のため、バーナケース３ａ、一次熱交換器ケース５ａ、二次熱交換器ケース６ａ、貯留容器９、配管２０、受皿部材２１、第１および第２のバンドＢ１，Ｂ２が図示されている。また、図４では、説明の便宜のため、配管２０、受皿部材２１、集合部材３０が図示されている。また、図５では、説明の便宜のため、配管２０、受皿部材２１、ドレン検知部２２、水位検知部２３、制御部２４、配線２５、集合部材３０、第１および第２のバンドＢ１およびＢ２が図示されている。
【００４５】
図３および図４を参照して、受皿部材２１は、一端部２１ａと、他端部２１ｂと、第１の立ち上がり部２１ｃ１と、第２の立ち上がり部２１ｃ２とを含んでいる。一端部２１ａと他端部２１ｂとは互いに対向している。具体的には、一端部２１ａと他端部２１ｂとは受皿部材２１の上面ＵＳの長手方向に互いに対向している。他端部２１ｂは、一端部２１ａよりも低い高さ位置に配置されている。このため、受皿部材２１は、一端部２１ａから他端部２１ｂに向かって上面ＵＳの高さ位置が下がるように傾斜している。
【００４６】
第１の立ち上がり部２１ｃ１および第２の立ち上がり部２１ｃ２は、上面ＵＳから立ち上がるように構成されている。第１の立ち上がり部２１ｃ１および第２の立ち上がり部２１ｃ２は、互いに並走するように一端部２１ａから他端部２１ｂまで延びている。第１の立ち上がり部２１ｃ１および第２の立ち上がり部２１ｃ２はそれぞれ受皿部材２１の上面ＵＳの短手方向の両端に配置されている。第１の立ち上がり部２１ｃ１および第２の立ち上がり部２１ｃ２は互いに上面ＵＳを挟んで配置されている。第１の立ち上がり部２１ｃ１および第２の立ち上がり部２１ｃ２はそれぞれ受皿部材２１の上面ＵＳの長手方向に延在している。
【００４７】
貯留容器９の天井部ＴＰを上方から見たときに、貯留容器９の全てが受皿部材２１の上面ＵＳと重なっている。つまり、貯留容器９の天井部ＴＰを上方から見たときに、貯留容器９の外縁が受皿部材２１の上面ＵＳの外縁よりも内方に位置している。また、貯留容器９の天井部ＴＰを上方から見たときに、貯留容器９と集合部材３０とは互いにずれて配置されている。つまり、貯留容器９の天井部ＴＰを上方から見たときに、貯留容器９と集合部材３０とは互いに重ならないように配置されている。
【００４８】
貯留容器９の天井部ＴＰに配管２０が接続されている。つまり、配管２０の貯留容器９との接続部分ＣＰは、天井部ＴＰに配置されている。したがって、配管２０の貯留容器９との接続部分ＣＰは、受皿部材２１の上面ＵＳの真上の領域に配置されている。
【００４９】
図２および図５を参照して、ドレン検知部２２は、第１および第２のドレン検知電極２２ａ，２２ｂを有している。第１および第２のドレン検知電極２２ａ，２２ｂの各々は、制御部２４に電気的に接続されている。第１および第２のドレン検知電極２２ａ，２２ｂの各々は、貯留容器９の外部に配置されている。第１のドレン検知電極２２ａと第２のドレン検知電極２２ｂとは互いに間隔をあけて配置されている。第１のドレン検知電極２２ａおよび第２のドレン検知電極２２ｂは、受皿部材２１の上面ＵＳに付着したドレンによって互いに導通するように構成されている。
【００５０】
第１の配線２５ａは、制御部２４から分岐して第１の水位検知電極２３ａおよび第１のドレン検知電極２２ａの各々に接続されている。第１の配線２５ａは、第１の水位電極配線２５ａ１と、第１のドレン検知電極配線２５ａ２とを含んでいる。第１の水位電極配線２５ａ１の一端は制御部２４に接続されており、第１の水位電極配線２５ａ１の他端は第１の水位検知電極２３ａに接続されている。第１のドレン検知電極配線２５ａ２の一端は第１の水位電極配線２５ａ１に接続されており、第１のドレン検知電極配線２５ａ２の他端は第１のドレン検知電極２２ａに接続されている。したがって、第１のドレン検知電極２２ａは第１の配線２５ａを経由して制御部２４に対して第１の水位検知電極２３ａと電気的に並列に接続されている。
【００５１】
第２の配線２５ｂは、制御部２４から分岐して第２の水位検知電極２３ｂおよび第２のドレン検知電極２２ｂの各々に接続されている。第２の配線２５ｂは、第２の水位電極配線２５ｂ１と、第２のドレン検知電極配線２５ｂ２とを含んでいる。第２の水位電極配線２５ｂ１の一端は制御部２４に接続されており、第２の水位電極配線２５ｂ１の他端は第２の水位検知電極２３ｂに接続されている。第２のドレン検知電極配線２５ｂ２の一端は第２の水位電極配線２５ｂ１に接続されており、第２のドレン検知電極配線２５ｂ２の他端は第２のドレン検知電極２２ｂに接続されている。したがって、第２のドレン検知電極２２ｂは第２の配線２５ｂを経由して制御部２４に対して第２の水位検知電極２３ｂと電気的に並列に接続されている。
【００５２】
第１の配線２５ａ、第２の配線２５ｂの分岐箇所は制御部２４ででも良いし、制御部２４と第１および第２の水位検知電極２３ａ，２３ｂとの間であっても良いし、第１および第２の水位検知電極２３ａ，２３ｂででも良い。
【００５３】
制御部２４は、第１の水位検知電極２３ａおよび第２の水位検知電極２３ｂが貯留容器９の内部のドレンに接触して互いに導通することにより貯留容器９の内部のドレンを検知可能に構成されている。また、制御部２４は、第１のドレン検知電極２２ａおよび第２のドレン検知電極２２ｂが受皿部材２１の上面ＵＳのドレンに接触して互いに導通することにより受皿部材２１の上面ＵＳのドレンを検知可能に構成されている。
【００５４】
制御部２４と第１の水位検知電極２３ａおよび第２の水位検知電極２３ｂとで構成された水位検知回路に、第１のドレン検知電極２２ａおよび第２のドレン検知電極２２ｂが電気的に並列に接続されている。
【００５５】
図５および図６を参照して、受皿部材２１の第１の立ち上がり部２１ｃ１および第２の立ち上がり部２１ｃ２は互いに上面ＵＳの短手方向に対向するように配置されている。受皿部材２１は、一枚の板で構成されていてもよい。また、第１の立ち上がり部２１ｃ１および第２の立ち上がり部２１ｃ２は、上面ＵＳから上方に折り曲げられていてもよい。第１の立ち上がり部２１ｃ１および第２の立ち上がり部２１ｃ２の各々の高さ寸法は、集合部材３０の高さ寸法以上であってもよい。
【００５６】
集合部材３０は、受皿部材２１の他端部２１ｂにおいて第１の立ち上がり部２１ｃ１から第２の立ち上がり部２１ｃ２に渡って上面ＵＳに配置されている。集合部材３０は、上面ＵＳと、第１の立ち上がり部２１ｃ１と、第２の立ち上がり部２１ｃ２とで規定される空間を塞ぐように、この空間に嵌め込まれている。つまり、集合部材３０の底面は上面ＵＳに当接している。また、集合部材３０の一方端３０ａは第１の立ち上がり部２１ｃ１に当接し、集合部材３０の他方端３０ｂは第２の立ち上がり部２１ｃ２に当接している。集合部材３０は伸縮性を有する材料で形成されていてもよい。集合部材３０の材料は、たとえば発泡軟質材であってもよい。この発泡軟質材は、たとえばポリエチレン発泡体である。
【００５７】
集合部材３０には、貫通孔ＨＬと、開口部ＯＰとが形成されている。貫通孔ＨＬは、ドレン検知部２２を配置するための孔である。貫通孔ＨＬは、上下方向に集合部材３０の上面および下面を貫通している。開口部ＯＰは、貫通孔ＨＬの一端部側に開口している。集合部材３０の貫通孔ＨＬにはドレン検知部２２が配置されている。本実施の形態では、第１のドレン検知電極２２ａおよび第２のドレン検知電極２２ｂの両方が取り付けられたハウジング２２ｃが貫通孔ＨＬに嵌合されている。
【００５８】
図６および図７を参照して、ハウジング２２ｃは、前端ＦＥと、後端ＢＥと、凹部ＨＰとを有している。凹部ＨＰは、前端ＦＥから後端ＢＥに向かって延びるように構成されている。第１のドレン検知電極２２ａおよび第２のドレン検知電極２２ｂの各々はピン形状を有している。第１のドレン検知電極２２ａおよび第２のドレン検知電極２２ｂの両方はハウジング２２ｃの後端ＢＥに固定されている。第１のドレン検知電極２２ａおよび第２のドレン検知電極２２ｂの両方は、凹部ＨＰの内部を後端ＢＥから前端ＦＥに向かって延在している。第１のドレン検知電極２２ａおよび第２のドレン検知電極２２ｂのそれぞれの先端は凹部ＨＰの内部に配置されている。
【００５９】
凹部ＨＰは第１〜第３の孔Ｈ１〜Ｈ３を有している。第１〜第３の孔Ｈ１〜Ｈ３はそれぞれ前端ＦＥに設けられている。前端ＦＥと後端ＢＥとが対向する方向において、第１の孔Ｈ１は第１のドレン検知電極２２ａと重なっており、第２の孔Ｈ２は第２のドレン検知電極２２ｂと重なっている。第３の孔Ｈ３は第１の孔Ｈ１と第２の孔Ｈ２との間に配置されている。
【００６０】
図６および図８を参照して、集合部材３０は、貫通孔ＨＬの一端部２１ａ側に配置された第１および第２の斜辺部Ｓ１，Ｓ２を有している。第１の斜辺部Ｓ１は、集合部材３０の一方端３０ａから他方端３０ｂに向かって受皿部材２１の一端部２１ａとの距離が大きくなるように斜めに延在している。また、第１の斜辺部Ｓ１は、開口部ＯＰに向かって受皿部材２１の一端部２１ａとの距離が大きくなるように斜めに延在している。第２の斜辺部Ｓ２は、集合部材３０の他方端３０ｂから一方端３０ａに向かって受皿部材２１の一端部２１ａとの距離が大きくなるように斜めに延在している。また、第２の斜辺部Ｓ２は、開口部ＯＰに向かって受皿部材２１の一端部２１ａとの距離が大きくなるように斜めに延在している。つまり、第１の斜辺部Ｓ１および第２の斜辺部Ｓ２は、開口部ＯＰに向かって凹むようにＶ字状に配置されている。
【００６１】
次に、本実施の形態の変形例１および変形例２の熱源機について説明する。これらの変形例１および変形例２の熱源機においては、特に言及しない限り、上記の本実施の形態の熱源機と同じ構成については同じ符号を付し、その説明を繰り返さない。
【００６２】
上記の本実施の形態の熱源機１では、貯留容器９が中和器９ａである場合について説明したが、貯留容器９は中和器９ａに限定されない。本実施の形態の変形例１の熱源機では、図９を参照して、貯留容器９は、中和器９ａおよびドレンタンク９ｂの両方を含んでいる。中和器９ａとドレンタンク９ｂとは配管４０により接続されている。このため、中和器９ａで中和されたドレンがドレンタンク９ｂに配管４０を通って流入しドレンタンク９ｂに貯留される。第１および第２の水位検知電極２３ａ，２３ｂは中和器９ａおよびドレンタンク９ｂの両方の内部に配置されている。
【００６３】
また、貯留容器９は、中和器９ａおよびドレンタンク９ｂの少なくともいずれかを含んでいればよい。そして、第１および第２の水位検知電極２３ａ，２３ｂは、中和器９ａおよびドレンタンク９ｂの少なくともいずれかの内部に配置されていればよい。
【００６４】
図１０および図１１を参照して、本実施の形態の変形例２の熱源機１は、カバー部材５０を備えている点で本実施の形態の熱源機１と主に異なっている。カバー部材５０は、中和器９ａのバーナケース３ａに対向する側壁部ＳＷに取り付けられている。カバー部材５０は、ガイド部５０ａと、傾斜部５０ｂと、天板部５０ｃと、第１の側板部５０ｄと、第２の側板部５０ｅとを含んでいる。ガイド部５０ａは、中和器９ａのバーナケース３ａに対向する側壁部ＳＷに沿って配置されている。傾斜部５０ｂは、ガイド部５０ａの下端に接続されている。傾斜部５０ｂは、ガイド部５０ａの下端から側壁部ＳＷに向かって斜め下方に延在している。
【００６５】
天板部５０ｃは、二次熱交換器ケース６ａの下方に配置されている。天板部５０ｃはガイド部５０ａの上端に接続されている。天板部５０ｃは、受皿部材２１の他端部２１ｂ側から一端部２１ａ側（図４）に向かって高さ位置が低くなるように傾斜している。第１の側板部５０ｄは、ガイド部５０ａと反対側で天板部５０ｃに接続されている。第２の側板部５０ｅは、第１の側板部５０ｄの上端に接続されている。
【００６６】
カバー部材５０のガイド部５０ａおよび傾斜部５０ｂにより中和器９ａの天井部ＴＰで漏出したドレンを側壁部ＳＷに沿わせて流すことができる。したがって、天井部ＴＰで漏出したドレンを側壁部ＳＷから受皿部材２１に確実に落下させることができる。
【００６７】
また、カバー部材５０の天板部５０ｃにより二次熱交換器ケース６ａから落下した結露水を熱源機１の筐体２の内面側に流すことができる。したがって、二次熱交換器ケース６ａから落下した結露水のバーナケース３ａへの落下を抑制することができる。
【００６８】
次に、本実施の形態の熱源機の作用効果について説明する。
図１、図２および図５に示すように、本実施の形態の熱源機においては、ドレンを検知可能なドレン検知部２２が貯留容器９の外部に配置されている。このため、貯留容器９の外部に漏出したドレンを検知することができる。また、第１の配線２５ａは、制御部２４から分岐して第１の水位検知電極２３ａおよび第１のドレン検知電極２２ａの各々に接続されている。第２の配線２５ｂは、制御部２４から分岐して第２の水位検知電極２３ｂおよび第２のドレン検知電極２２ｂの各々に接続されている。したがって、第１のドレン検知電極２２ａおよび第２のドレン検知電極２２ｂは、第１の水位検知電極２３ａおよび第２の水位検知電極２３ｂと制御部２４を共用できる。これにより、制御部２４と第１の水位検知電極２３ａおよび第２の水位検知電極２３ｂとで構成された水位検知回路を利用して、第１のドレン検知電極２２ａおよび第２のドレン検知電極２２ｂによりドレンを検知することができる。したがって、既存の水位検知回路を利用することにより、構造が容易であり、コストが低減できる。
【００６９】
また、第１および第２の水位検知電極２３ａ，２３ｂは、通常の貯留容器９内のドレン水位を適切に調整管理するための電極ではなく、異常時のドレン水位を検知するための電極であってもよい。この場合、異常時のドレン水位を検知する第１および第２の水位検知電極２３ａ，２３ｂとドレン漏れを検知する第１および第２のドレン検知電極２２ａ，２２ｂとが制御部２４を共用することにより、異常を示す報知手段（たとえば、警告表示および警告音など）を共用することができるというメリットがある。
【００７０】
図１および図２に示すように、本実施の形態の熱源機１によれば、受皿部材２１は、ドレンを受けるための上面ＵＳを有し、かつ貯留容器９の側壁部ＳＷの下方に配置されている。このため、配管２０と貯留容器９との接続が不十分である場合などに配管２０から貯留容器９の外部に酸性のドレンが漏出すると、このドレンは貯留容器９の側壁部ＳＷを伝って流れ落ちて側壁部ＳＷの下方に配置された受皿部材２１の上面ＵＳに受けられる。したがって、受皿部材２１は、配管２０から貯留容器９の外部に漏出したドレンが熱源機内の排気集合筒７などの周辺装置に付着することを防止できる。また、ドレン検知部２２は、受皿部材２１の上面ＵＳに配置され、かつドレンを検知可能なものである。このため、ドレン検知部２２は、受皿部材２１の上面ＵＳに受けられたドレンを検知することができる。したがって、ドレン検知部２２は、配管２０から貯留容器９の外部に漏出したドレンが熱源機内の排気集合筒７などの周辺装置に付着する前に、このドレンを検知することができる。
【００７１】
また、配管２０から貯留容器９の外部にドレンが漏出すると、ドレンとともに一次熱交換器５および二次熱交換器６で熱交換した後の燃焼ガスである排気ガスも漏出する。したがって、ドレンを検知することにより、排気ガスの漏出を検知することができる。
【００７２】
よって、配管２０から貯留容器９の外部に漏出したドレンが熱源機内の排気集合筒７などの周辺装置に付着する前に、このドレンを拭き取るなどして取り除くことができる。そのため、このドレンが付着した周辺装置に腐食が発生することを抑制することができる。
【００７３】
さらに、給水配管１１および給湯配管１２などから水が漏出し、当該水が受皿部材２１で受けられた場合には、ドレン検知部２２により当該水を検知することにより、当該水の漏出を検知することができる。
【００７４】
図６および図７に示すように、本実施の形態の熱源機においては、ピン形状を有する第１のドレン検知電極２２ａおよび第２のドレン検知電極２２ｂの両方はハウジング２２ｃの後端に固定され、かつ凹部ＨＰの内部を後端ＢＥから前端ＦＥに向かって延在している。したがって、第１のドレン検知電極２２ａおよび第２のドレン検知電極２２ｂにいわゆる２ピンコネクタを用いることができる。このため、第１のドレン検知電極２２ａおよび第２のドレン検知電極２２ｂを集合部材３０に固定することが容易である。また、第１のドレン検知電極２２ａおよび第２のドレン検知電極２２ｂの互いの間隔を維持することが容易である。また、第１のドレン検知電極２２ａおよび第２のドレン検知電極２２ｂの互いの間にゴミなどが付着することを抑制することができる。
【００７５】
図９に示すように、本実施の形態の変形例１の熱源機においては、第１の水位検知電極２３ａおよび第２の水位検知電極２３ｂは、中和器９ａおよびドレンタンク９ｂの少なくともいずれかの内部に配置されている。したがって、第１のドレン検知電極２２ａおよび第２のドレン検知電極２２ｂは、中和器９ａおよびドレンタンク９ｂの少なくともいずれかの内部に配置された第１の水位検知電極２３ａおよび第２の水位検知電極２３ｂと制御部２４を共有できる。
【００７６】
図５および図６に示すように、本実施の形態の熱源機においては、集合部材３０は、他端部２１ｂにおいて第１の立ち上がり部２１ｃ１から第２の立ち上がり部２１ｃ２に渡って上面ＵＳに配置されている。集合部材３０には、ドレン検知部２２を配置するための貫通孔ＨＬと、貫通孔ＨＬの一端部２１ａ側に開口する開口部ＯＰとが形成されている。したがって、集合部材３０は、受皿部材２１の上面ＵＳを一端部２１ａ側から他端部２１ｂ側に向かって流れるドレンをせき止めて集めることができる。集合部材３０で集められたドレンは開口部ＯＰから貫通孔ＨＬに流入する。ドレン検知部２２は貫通孔ＨＬに配置されているため、ドレン検知部２２は集合部材３０で集められたドレンを検知することができる。これにより、ドレン検知部２２は、受皿部材２１の上面ＵＳに受けられたドレンを確実に検知できる。
【００７７】
図１および図２に示すように、本実施の形態の熱源機においては、受皿部材２１は、バーナケース３ａの側面に取り付けられている。このため、バーナで発生した熱がバーナケース３ａの側面ＳＳから受皿部材２１に伝わることにより受皿部材２１に付着した結露水を蒸発させやすくすることができる。したがって、ドレン検知部２２が結露水を検知することが抑制される。これにより、ドレン検知部２２が結露水をドレンとして誤って検知することを抑制することができる。
【００７８】
図１および図３に示すように、本実施の形態の熱源機においては、受皿部材２１は、一次熱交換器ケース５ａよりも上方の高さ位置に配置されている。一次熱交換器５を収容する一次熱交換器ケース５ａには結露水が付着しやすい。受皿部材２１は一次熱交換器ケース５ａよりも上方の高さ位置に配置されているため、一次熱交換器ケース５ａに付着した結露水が受皿部材２１に流れ落ちることを防止することができる。これにより、ドレン検知部２２が結露水をドレンとして誤って検知することを抑制することができる。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８０】
１  熱源機、２  筐体、３  バーナ、３ａ  バーナケース、４  送風機、５  一次熱交換器、５ａ  一次熱交換器ケース、６  二次熱交換器、６ａ  二次熱交換器ケース、７  排気集合筒、８  消音器、９  貯留容器、９ａ  中和器、９ｂ  ドレンタンク、１０，２０，４０  配管、１１  給水配管、１１ａ  入水口、１２  給湯配管、１２ａ  出湯口、２１  受皿部材、２１ａ  一端部、２１ｂ  他端部、２１ｃ１  第１の立ち上がり部、２１ｃ２  第２の立ち上がり部、２２  ドレン検知部、２２ａ  第１のドレン検知電極、２２ｂ  第２のドレン検知電極、２２ｃ  ハウジング、２３  水位検知部、２３ａ  第１の水位検知電極、２３ｂ  第２の水位検知電極、２４  制御部、２５  配線、２５ａ  第１の配線、２５ｂ  第２の配線、３０  集合部材、５０  カバー部材、ＢＥ  後端、ＢＰ  底部、ＥＰ  排気口、ＦＥ  前端、ＨＬ  貫通孔、ＨＰ  凹部、ＯＰ  開口部、ＳＳ  側面、ＳＷ  側壁部、ＴＰ  天井部、ＵＳ  上面。
【図１】
0006544144.tif 000002
【図２】
0006544144.tif 000003
【図３】
0006544144.tif 000004
【図４】
0006544144.tif 000005
【図５】
0006544144.tif 000006
【図６】
0006544144.tif 000007
【図７】
0006544144.tif 000008
【図８】
0006544144.tif 000009
【図９】
0006544144.tif 000010
【図１０】
0006544144.tif 000011
【図１１】
0006544144.tif 000012